(57)【特許請求の範囲】
【請求項１】
道路の路肩部分に、Ｌ型側溝を付設してなるＬ型排水溝に、一定の間隔をおいて、集水のために設置されるものであって、集水用の開口部と、前記開口部を覆う格子状の蓋の取付け部を有し、前記取付け部は、立ち上がり部に止着される鉄板型枠と平面部に止着されるアングル枠から成るＬ型格子蓋設置用枠で構成し、前記Ｌ型格子蓋設置用枠体に対してＬ型格子蓋を嵌挿可能にしており、さらに前記Ｌ型格子蓋のがたつきを抑え、位置を固定し、前記Ｌ型格子蓋の背後に背面空間を確保するため前記鉄板型枠（９）の前面に、ストッパーを２箇所に有する落葉対策用Ｌ型縁塊において、前記開口部は、路面とほぼ平行な平面部と、路面にほぼ垂直な立ち上がり部を有し、前記落葉対策用Ｌ型縁塊における前記Ｌ型排水溝との接合面は、前記Ｌ型排水溝の長さ方向に垂直な断面とほぼ同一の形状であることを特徴とする落葉対策用Ｌ型縁塊。
【発明の詳細な説明】
【技術分野】
【０００１】本発明は降雨または降雪によって生じた道路、または道路敷地外の表面水を排除する目的で、道路路肩に設けられている排水側溝の集水部分に設置される集水用のＬ型縁塊に関する。
【背景技術】
【０００２】一般的に道路は、車道部分と歩道部分に区別されており、前記車道部分と歩道部分の境界に段差がある路肩には、前記車道部分と歩道部分の境界と平行に排水施設のＬ型排水側溝または歩車道境界ブロックが設けられている（図１０、図１１）。前記車道部分と歩道部分の表面は、前記Ｌ型排水側溝または歩車道境界ブロックに向かって下降傾斜しており、前記車道部分と歩道部分に降る雨水は、前記車道部分と歩道部分にある土砂、砂利、生活ごみ類、落葉類を伴い、前記Ｌ型排水側溝内または前記歩車道境界ブロックに向かって流れる。前記Ｌ型排水側溝内または前記歩車道境界ブロック側に流入した雨水は、土砂、砂利、生活ごみ類、落葉類を伴い、前記Ｌ型排水側溝または前記歩車道境界ブロックの適所に所定の間隔をおいて設置されている集水用のＬ型縁塊に取付けられた平面格子蓋の通水口を通過し集水桝へ入り、さらに流末へと流れていく。このような現状にある、前記車道部分と歩道部分に降る雨水を速やかに排除する施設の中の前記集水用Ｌ型縁塊に関する。
【発明の開示】
【発明が解決しようとする課題】
【０００３】Ｌ型排水側溝または歩車道境界ブロック側に流入した雨水は、土砂、砂利、生活ごみ類、落葉類を伴って前記Ｌ型排水側溝または前記歩車道境界ブロックの適所に所定の間隔をおいて設置されている集水用の前記Ｌ型縁塊に取付けられた前記平面格子蓋の通水口へ流れ、前記雨水は前記平面格子蓋の前記通水口を通過できる土砂、砂利、生活ごみ類、落葉類だけを伴って集水桝へ入り、残りは前記平面格子蓋の通水口上部に残積し、いずれ前記平面格子蓋の通水口上部を塞ぎ、前記平面格子蓋の通水口の雨水透水機能が極端におちてくる。ここでの課題は、集水用の前記Ｌ型縁塊の通水口に取付けられた格子蓋の形状が一般的に平面版であることから、前記平面格子蓋が目詰まりすれば、雨水の流出が阻害され逃げ場を失った雨水は水浸し状態となる問題がある。【０００４】また、集水用の前記Ｌ型縁塊に取付けられている前記平面格子蓋は一般にグレーチングと呼ばれ、通常は格子間隔が広い普通目、また格子間隔が狭い細目があるが、前記普通目グレーチングの場合は、通水口を通過できる土砂、砂利、生活ごみ類、落葉類の多くが集水桝へ入り、土砂、小石など重い物は前記集水桝の泥溜に蓄積されるが、前記平面格子蓋の構造から土砂、小石などが大量に流入すれば、前記集水桝の泥溜（２６）の頻繁なメンテナンスが必要となり、道路管理に多大な費用が必要となる。メンテナンスを怠れば前記集水桝の泥溜容量を超え、下流へと流れ下水道本管等の流れを阻害し、さらに困難なメンテナンスが必要となる。【０００５】また、落葉季節の豪雨、台風を伴った豪雨の時などは、まず、比較的汚濁が多い初期雨水は車道部分、例えば歩道部分の表面に散乱した生活ごみ類、落葉類が瞬時の大量の雨水で集水用の前記Ｌ型縁塊に取付けられた前記平面格子蓋の通水口へ押し流され、集水用の前記Ｌ型縁塊に取付けられた前記平面格子蓋の通水口に残積し、そしてさらに降り続く豪雨は集水用の前記Ｌ型縁塊に取付けられた前記平面格子蓋の通水口を通過できず車道部分、例えば歩道部分にあふれる事となり災害となる。【０００６】道路の表面排水工に関した設計は「道路土工−道路排水工指針」などにより規定されている、これらの指針では降雨特性を的確にとらえ、さらに道路の利用程度や立地条件などが、道路排水施設の排水能力を決定する上でもっとも重要とされている。
しかし道路排水施設機能を妨げる主な物的要因には、道路上に散乱した、土砂、砂利、生活ごみ類、落葉類などあるが、道路の表面排水工に関した設計は、とくに豪雨の際に大量の土砂、流木等の流入に対する排水溝（管）断面などの設計指針はあるが、生活ごみ類、落葉類の流入に対する設計指針はない。しかし、一般的な問題には雨水流出装置の維持管理もあり、雨水流出装置の目詰まりも大きな問題となる。
【課題を解決するための手段】
【０００７】  以上の課題を解決するために、道路の路肩部分に、コンクリート２次製品のＬ型側溝などを布設して作られるＬ型排水側溝で、図１０に示すように前記Ｌ型排水側溝に一定の間隔をおいて、集水のために設置される、通水用の開口部と、前記開口部を覆う格子状の蓋の取付け部を有する落葉対策用Ｌ型縁塊において、前記開口部は、図５に示すように、路面とほぼ平行な平面部と、路面に対してほぼ垂直な立ち上がり部を有することを特徴とする落葉対策用Ｌ型縁塊を発明した。【０００８】前記落葉対策用Ｌ型縁塊の前記開口部の前記平面部と前記立ち上がり部は、図４、図５に示すように、Ｌ型格子蓋を嵌挿可能にする鉄板型枠（９）とアングル枠（１０）から成るＬ型格子蓋設置用枠が止着されている。前記Ｌ型格子蓋設置用枠体はコンクリート２次製品用のＬ型縁塊用型枠に装着し、一体にして、コンクリートを打込むため、前記落葉対策用Ｌ型縁塊と前記Ｌ型格子蓋設置用枠体は一体型のコンクリート２次製品となる。よって、前記落葉対策用Ｌ型縁塊に前記Ｌ型格子蓋を嵌挿した場合、車道を走る大型車両の通行に対しても、ガタツキ、変形などはおきない特徴を持つ。【０００９】  また、前記落葉対策用Ｌ型縁塊の前記開口部の前記平面部と前記立ち上がり部に嵌挿される前記Ｌ型格子蓋は脱着可能にする必要があるため、前記Ｌ型格子蓋設置用枠体の内寸法に対し、前記Ｌ型格子蓋の外形寸法を小さめにして、前記Ｌ型格子蓋を前記Ｌ型格子蓋設置用枠体に装着した場合、前記Ｌ型格子蓋設置用枠体と、前記Ｌ型格子蓋の間に隙間ができるようにすることから、前記Ｌ型格子蓋設置用枠には前記Ｌ型格子蓋を拘止して、ガタツキを抑え、位置を固定し、前記Ｌ型格子蓋に背面空間を確保するため前記鉄板型枠（９）の前面に、ストッパー（１１）を２箇所に設けた前記Ｌ型格子蓋設置用枠を持つことを特徴とする落葉対策用Ｌ型縁塊。【００１０】  前記落葉対策用Ｌ型縁塊の前記開口部は、路面とほぼ平行な平面部と、路面にほぼ垂直な立ち上がり部を有し、前記Ｌ型縁塊における前記Ｌ型排水溝との接合面は、前記Ｌ型排水溝の長さ方向に垂直な断面とほぼ同一の形状であることから、図１０に示すように、前記落葉対策用Ｌ型縁塊は前記落葉対策用Ｌ型縁塊の両端に布設されるＬ型側溝の外形寸法に合わせて布設することができる。
【発明の効果】
【００１２】本発明の前記落葉対策用Ｌ型縁塊は、車道部分と例えば歩道部分の境界に平行して設けられているＬ型排水側溝または歩車道境界ブロックの適所に所定の間隔をおいて設置され、図１０、図１１に示すように、前記Ｌ型排水側溝または道路の路肩面と同一の高さで設置された集水用の通水口である。前記落葉対策用Ｌ型縁塊の設置される部分は、前記車道部分と前記歩道部分の境界と平行している部分であり、道路面および例えば歩道面に降った雨水が集まる部分で、さらに前記道路の長さ方向の勾配に沿った路肩を流れる雨水も流入する部分であるため、大量の土砂、砂利、生活ごみ類、落葉類が集中する箇所である。【００１３】降雨時、雨水は道路面および歩道面で流水となり大量の土砂、砂利、生活ごみ類、落葉類を通水口へ運び、通水口に取付けられている前記平面格子蓋の格子の間隙から、土砂、砂利、生活ごみ類、落葉類などで通過できない土砂、砂利、生活ごみ類、落葉類などが通水口に取付けられている前記平面格子蓋の格子上に堆積し前記平面格子蓋の機能を低下させる。しかし前記落葉対策用Ｌ型縁塊に取付けられた前記落葉対策用Ｌ型格子蓋は前記平面格子蓋に比べ、前記落葉対策用Ｌ型格子蓋のＬ型の立ち上がり部分の通水面積がプラスされ、また、前記落葉対策用Ｌ型格子蓋のＬ型の立ち上がり部分は雨水の流れ面より高い排水開口（１６）を持ち、透水機能を充分に発揮させる最大の特徴を持つため、集中豪雨時に道路の路肩部分によく見かける水溜り現象がおきにくい。【００１４】つまり、図１０に示す前記落葉対策用Ｌ型縁塊と前記落葉対策用Ｌ型縁塊の両側に布設される前記Ｌ型排水側溝（２１）の先端部分（１８）の勾配は、国土交通省などが定める公道の道路構造物標準設計図集で、およそ１．７％〜５％で設計され、また、前記Ｌ型排水側溝の流水部分、集水部分（２０）の勾配は１０％と規定されている。図８で示すように、一般的な道路表面（１９）の勾配２％〜３％を直線で路肩までむすんだ場合、路肩のＬ型部分のもっとも低い部分との高低差（１７）ができ、前記落葉対策用Ｌ型縁塊と前記Ｌ型排水側溝（２１）の断面に図７に示すように三角形部分（１５）ができる。【００１５】道路上に降る雨水は図８に示す矢印の方向に加速しながら流れ、流水によって運ばれた土砂、砂利、生活ごみ類、落葉類が前記三角形部分（１５）に流れ、そして前記路肩に沿って下流方向へ押し流されて前記落葉対策用Ｌ型縁塊の部分に集まり、前記落葉対策用Ｌ型縁塊に取付けられた前記Ｌ型格子蓋の通水口を通過できる土砂、砂利、生活ごみ類、落葉類だけが集水桝（２７）へ入り、残りは前記Ｌ型格子蓋の平面部分の前記通水口上部に残積する。【００１６】また、従来のＬ型縁塊は平面格子蓋で、前記路肩のＬ型断面部分の前記三角形部分（１５）の高低差（１７）より上部に集まる土砂、砂利、生活ごみ類、落葉類は前記Ｌ型排水側溝または前記歩車道境界ブロック側を流れる雨水に運ばれて、前記路肩に沿って下流方向へ押し流される。したがって前記路肩の前記落葉対策用Ｌ型縁塊の断面部分の前記三角形部分（１５）は土砂、砂利、生活ごみ類、落葉類などが流れにくく堆積する、この現象は排水施設である前記Ｌ型排水側溝または前記歩車道境界ブロックが設置された部分も含めて降雨の後によく見られる現象である。【００１７】したがって、長期におよぶ降雨や集中豪雨の発生時には、初期雨水が土砂、砂利、生活ごみ類、落葉類が道路路肩の集水口に集まり通水口に取付けられている前記落葉対策用Ｌ型格子蓋の平面部分の格子の間隙から集水桝（２７）へ流れ、通過できない土砂、砂利、生活ごみ類、落葉類などが通水口に取付けられている前記落葉対策用Ｌ型格子蓋の平面部分に図７の前記三角形部分（１５）に堆積し、前記落葉対策用Ｌ型格子蓋の平面部分の機能を低下させるが、初期雨水が土砂、砂利、生活ごみ類、落葉類を運んだ後の、土砂、砂利、生活ごみ類、落葉類の混入の少なくなった雨水は図７に示す前記三角形部分（１５）の上部を流れ、前記落葉対策用Ｌ型格子蓋のＬ型の立ち上がり部分（１６）に流入し集水桝（２７）へ流れるため、道路部分と例えば歩道部分の降水雨に対し集水機能を可及的に果たすようになる。【００１８】したがって、従来の前記道路路肩に設置されたＬ型縁塊の集水用通水口に取付けられた平面格子蓋のように、前記落葉対策用Ｌ型縁塊は断面部分の前記三角形部分（１５）に土砂、砂利、生活ごみ類、落葉類が堆積しても集水機能が低下することはなく集水機能を充分に発揮させる最大の特徴を持つ。【００１９】従来の前記道路路肩に設置されたコンクリート２次製品であるＬ型縁塊の外形寸法規格は数種類あるが、本発明の前記落葉対策用Ｌ型縁塊も、前記Ｌ型縁塊の外形寸法規格と同じ外形寸法規格を持つことから、前記Ｌ型排水側溝の適所に前記落葉対策用Ｌ型縁塊を設置できる。よって、既設の前記Ｌ型縁塊を取外し、前記落葉対策用Ｌ型縁塊に取り替えることも可能である。【００２０】また本発明の前記落葉対策用Ｌ型縁塊は、車道部分と例えば歩道部分の境界と平行して設けられている、前記歩車道境界ブロックに対しても、前記落葉対策用Ｌ型縁塊の立ち上がり部分の外形状寸法が前記歩車道境界ブロックと同一の種類であり図１１に示すように、設置使用が可能である。【００２１】従来の道路路肩に設置された前記Ｌ型縁塊は土砂、砂利、生活ごみ類、落葉類が前記Ｌ型縁塊に取付けられた前記平面格子蓋の通水口に堆積し透水機能が著しく低下するため頻繁なメンテナンスが必要になり膨大な維持管理費用が発生するが、前記落葉対策用Ｌ型縁塊は集水機能を充分に発揮させる機能を持つ事からメンテナンスの回数は前記平面格子蓋より大幅に減らす事ができる。したがって前記落葉対策用Ｌ型縁塊を使用することにより従来の前記平面格子蓋に比べ維持管理費用の大幅な節約となる。
【発明を実施するための最良の形態】
【００２３】一般的な道路は、高速道路など特殊な道路を除いて、車道部分と歩道部分を有する公道であり、前記一般的な道路と前記歩道部分の境界に段差がある路肩部分には、前記車道部分と前記歩道部分の境界と平行に排水施設のＬ型排水側溝または歩車道境界ブロックなどが設けられ、前記Ｌ型排水側溝または前記歩車道境界ブロックの排水施設と平行して適所に所定の間隔をおいて、従来の集水用のＬ型縁塊が設置され道路排水施設として使用されている。【００２４】また、前記道路排水施設に使用されるＬ型側溝、前記歩車道境界ブロック、また前記Ｌ型縁塊は、国土交通省「土木構造物標準設計」解説書及び手引きなどの示方書を適用して各都道府県、または市町村が作成した、「道路構造物標準設計図集」に従いコンクリート２次製品化され、各都道府県、または市町村の前記一般的な道路（公道）に使用されている。【００２５】本発明の前記落葉対策用Ｌ型縁塊の外形寸法は前記Ｌ型縁塊の外形寸法と同じとしており、前記Ｌ型排水側溝または前記歩車道境界ブロックの排水施設と平行して適所に所定の間隔をおいて設置されている集水用の前記Ｌ型縁塊を、図１０、図１１に示すように、前記落葉対策用Ｌ型縁塊に替えて道路排水施設として使用することができる。【００２６】よって、前記Ｌ型排水側溝の場合、前記Ｌ型側溝を、車道部分と例えば歩道部分に降雨時の排水施設として布設し、図１２に示すように、適所に所定の間隔をおいて埋設される集水桝（２７）の上部に集水用の前記落葉対策用Ｌ型縁塊を設置して車道部分と例えば歩道部分の降雨を集め、図１２に示すように、前記落葉対策用Ｌ型縁塊の通水口から下部の集水桝（２７）へ流入させ、下水道本管に流すことができる。【００２７】また、図１１に示すように、前記歩車道境界ブロックの場合は所定の間隔をおいて埋設されている前記集水桝（２７）上部に集水用の前記落葉対策用Ｌ型縁塊を設置して車道部分と例えば歩道部分の降雨を集め、集水用の前記落葉対策用Ｌ型縁塊の通水口から下部の集水桝へ流入させ、下水道本管に流すことができる。【００２８】または、Ｕ字形側溝、などの上部に前記Ｌ型側溝を布設し、適所に所定の間隔をおいて集水用の前記落葉対策用Ｌ型縁塊を設置して車道部分と例えば歩道部分の降雨を集め前記落葉対策用Ｌ型縁塊の通水口から下部の、Ｕ字形側溝などに直接排水するなどの方式もある。【００２９】いずれの場合も  集水用の前記Ｌ型縁塊の設置部分に前記落葉対策用Ｌ型縁塊を使用することにより、集中豪雨時などに、集水用の通水口に取付けられた、従来の前記Ｌ型縁塊の平面格子蓋が目詰まりし、雨水の流出が阻害され、逃げ場を失った雨水が水浸し状態になる問題が解決できる、つまり、集中豪雨時などでも、前記落葉対策用Ｌ型縁塊は断面部分の三角形部分（１５）に土砂、砂利、生活ごみ類、落葉類が堆積しても集水機能が低下することはなく集水機能を長期に持続させることができる。【００３０】現在一般に使用されている集水用のＬ型縁塊に取付けられた、平面格子蓋には格子と格子の間隔を狭めた製品もあるが、透水機能が極端に低下する問題がある。しかしながら落葉対策用Ｌ型格子蓋は落葉対策用Ｌ型格子蓋の平面部分の透水機能が極端に低下しても、落葉対策���Ｌ型格子蓋の図２に示す立ち上がり部分の透水機能は長期間保持可能であることから、本発明は落葉対策用Ｌ型格子蓋が取付けられた落葉対策用Ｌ型縁塊は平面集水部分の透水能力を超えた分の雨水を下水道本管またはＵ字形側溝、可変側溝などに流出させる基本能力を維持しながら、かかる問題を解決できる機能を最大の特徴としている。
【図面の簡単な説明】
【００３１】
【図１】本発明の第一発明であるＬ型格子蓋の平面図
【図２】図１Ｌ型格子蓋のＢ−Ｂ’断面図
【図３】図１Ｌ型格子蓋のＡ面側面図
【図４】本発明の落葉対策用Ｌ型縁塊の平面図
【図５】図４の落葉対策用Ｌ型縁塊のＣ−Ｃ’断面図
【図６】図４の落葉対策用Ｌ型縁塊とＬ型格子蓋の合体の断面図
【図７】落葉対策用Ｌ型縁塊の機能説明図
【図８】落葉対策用Ｌ型縁塊の機能説明図（図４の断面図）
【図９】落葉対策用Ｌ型縁塊の機能説明図（設置した落葉対策用Ｌ型縁塊の平面図）
【図１０】Ｌ型側溝部分に取付けた落葉対策用Ｌ型縁塊の概要透視図
【図１１】歩車道境界ブロック部分に取付けた落葉対策用Ｌ型縁塊の概要透視図
【図１２】落葉対策用Ｌ型縁塊が集水桝上部に設置された状態の断面図
【符号の説明】
【００３２】１    Ｌ型格子蓋の立ち上がり部分
２    格子と格子に溶接固定するツイストバー
３    格子部分
４    格子と格子の隙間１５ｍｍ以内としている部分
５    エンドプレート
６    平面格子部分と立ち上がり格子部分の接続溶接部分
７    Ｌ型立ち上がり部分の格子部分を溶接固定するツイストバー
８    落葉対策用Ｌ型縁塊
９    落葉対策用Ｌ型縁塊製作の埋め込み鉄板型枠
１０  Ｌ型格子蓋設置用アングル枠
１１  Ｌ型格子蓋設置用固定ストッパー
１２  落葉対策用Ｌ型縁塊の通水口（開口）
１３  Ｌ型格子蓋
１４  流水対策用背面空間
１５  土砂、砂利、生活ごみ類、落葉類の堆積部分
１６  三角形１５部分の上部から、落葉対策用Ｌ型格縁塊のＬ型の立ち上がり部分の開口
１７  一般的な道路表面１９勾配２％〜３％を直線で路肩までむすんだ場合、路肩のＬ型部分のもっとも低い部分との高低差
１８  落葉対策用Ｌ型縁塊上部先端部分
１９  道路面および道路勾配
２０  落葉対策用Ｌ型縁塊通水口部分勾配
２１  Ｌ型排水溝
２２  目地
２３  歩道面
２４  歩車道境界ブロック
２５  集水桝と下水道本管をつなぐ接続管
２５  泥溜め
２６  集水桝の泥溜部
２７  集水桝
【図１】
0005181135.tif 000002
【図２】
0005181135.tif 000003
【図３】
0005181135.tif 000004
【図４】
0005181135.tif 000005
【図５】
0005181135.tif 000006
【図６】
0005181135.tif 000007
【図７】
0005181135.tif 000008
【図８】
0005181135.tif 000009
【図９】
0005181135.tif 000010
【図１０】
0005181135.tif 000011
【図１１】
0005181135.tif 000012
【図１２】
0005181135.tif 000013